(57)【要約】【課題】インターネット・プロトコル・ネットワーク内のインターネット・プロトコル呼の被呼者に発呼者の識別情報を提供すること。【解決手段】本発明の一実施例は１つまたは複数の呼制御コンポーネントを含む。上記１つまたは複数のコンポーネントの１つまたは複数は通信装置が開始したインターネット・プロトコル呼をインターネット・プロトコル・エンドポイントに接続する。上記１つまたは複数のコンポーネントの１つまたは複数は通信装置の識別情報を収集し、識別情報をインターネット・プロトコル・エンドポイントに送信する。【選択図】図１
2004364311.tif 000002
【特許請求の範囲】
【請求項１】
１つまたは複数の呼制御コンポーネントを含む装置であって、
前記１つまたは複数の呼制御コンポーネントの１つまたは複数が通信装置が開始したインターネット・プロトコル呼をインターネット・プロトコル・エンドポイントに接続し、
前記１つまたは複数のコンポーネントの１つまたは複数が前記通信装置の識別情報を収集し、前記識別情報を前記インターネット・プロトコル・エンドポイントに送信する装置。
【請求項２】
請求項１に記載の装置であって、
前記インターネット・プロトコル呼を接続する前記１つまたは複数の呼制御コンポーネントの前記１つまたは複数が前記通信装置の前記識別情報をデータベース内に記憶し、
前記識別情報を収集する前記１つまたは複数の呼制御コンポーネントの前記１つまたは複数が前記データベースにアクセスして前記通信装置の前記識別情報を収集する装置。
【請求項３】
前記インターネット・プロトコル・エンドポイントと組み合わせる請求項１に記載の装置であって、
前記インターネット・プロトコル・エンドポイントが前記識別情報を収集する前記１つまたは複数の呼制御コンポーネントの前記１つまたは複数に追跡開始メッセージを送信して前記識別情報の収集を開始し、
前記インターネット・プロトコル・エンドポイントが前記インターネット・プロトコル呼の受付前、前記インターネット・プロトコル呼の継続中の任意の時点、または前記インターネット・プロトコル呼終了後に前記追跡開始メッセージを送信する装置。
【請求項４】
前記インターネット・プロトコル・エンドポイントと組み合わせる請求項１に記載の装置であって、
前記インターネット・プロトコル・エンドポイントが前記識別情報を収集する前記１つまたは複数の呼制御コンポーネントの前記１つまたは複数に追跡開始メッセージを送信し、
前記追跡開始メッセージが前記識別情報内に前記通信装置の１つまたは複数の情報種別を含ませる要求を含み、
前記通信装置の前記識別情報が前記通信装置の識別番号、電話番号、Ｅメール・アドレス、ユニフォーム・リソース・ロケータ、およびユーザ名の１つまたは複数を含む装置。
【請求項５】
前記インターネット・プロトコル・エンドポイントと組み合わせる請求項１に記載の装置であって、
前記インターネット・プロトコル呼を接続する前記１つまたは複数の呼制御コンポーネントの前記１つまたは複数が第１のインターネット・プロトコル・ドメイン内の第１の呼制御コンポーネントを含み、
前記識別情報を収集する前記１つまたは複数の呼制御コンポーネントの前記１つまたは複数が第２のインターネット・プロトコル・ドメイン内の第２の呼制御コンポーネントを含み、
前記インターネット・プロトコル・エンドポイントが前記第１のインターネット・プロトコル・ドメイン内の第１のインターネット・プロトコル・エンドポイントを含み、前記通信装置が前記第２のインターネット・プロトコル・ドメイン内の第２のインターネット・プロトコル・エンドポイントを含み、
前記第１のインターネット・プロトコル・エンドポイントが前記第１の呼制御コンポーネントに追跡開始メッセージを送信して前記識別情報の収集を開始し、
前記第１の呼制御コンポーネントが前記第２の呼制御コンポーネントに識別情報収集メッセージを送信し、
前記呼制御コンポーネントが前記第２のインターネット・プロトコル・ドメインのデータベースに照会して前記識別情報を収集し、前記第２の呼制御コンポーネントが前記第１の呼制御コンポーネントに前記識別情報を送信し、
前記第１の呼制御コンポーネントが前記第１のインターネット・プロトコル・エンドポイントに前記識別情報を送信する装置。
【請求項６】
前記識別情報を収集する前記１つまたは複数の呼制御コンポーネントの前記１つまたは複数が前記インターネット・プロトコル・エンドポイントのアクセス・レベルを検査する検証を実行し、前記アクセス・レベルが前記識別情報の第１の部分へのアクセスを許可する請求項１に記載の装置であって、
前記識別情報を収集する前記１つまたは複数の呼制御コンポーネントの前記１つまたは複数が前記通信装置の保護レベルを検査する検証を実行し、前記保護レベルが前記識別情報の第２の部分へのアクセスを許可し、
前記インターネット・プロトコル・エンドポイントに前記識別情報を送信する前記１つまたは複数の呼制御コンポーネントの前記１つまたは複数が前記識別情報の前記第１の部分および第２の部分の両方に共通の識別情報を送信する装置。
【請求項７】
前記インターネット・プロトコル・エンドポイントと組み合わせる請求項１に記載の装置であって、
前記インターネット・プロトコル・エンドポイントが前記識別情報を収集する前記１つまたは複数の呼制御コンポーネントの前記１つまたは複数に第１のＨ．３２３メッセージを送信して前記識別情報の収集をトリガし、
前記インターネット・プロトコル・エンドポイントに前記識別情報を送信する前記１つまたは複数の呼制御コンポーネントの前記１つまたは複数が第２のＨ．３２３メッセージに乗せて前記インターネット・プロトコル・エンドポイントに前記識別情報を送信する装置。
【請求項８】
前記１つまたは複数の呼制御コンポーネントがインターネット・プロトコル呼追跡サービスをサポートする請求項１に記載の装置であって、
前記インターネット・プロトコル呼追跡サービスが前記インターネット・プロトコル・エンドポイントに前記インターネット・プロトコル呼追跡サービスへの加入料金を課金し、
前記加入料金が月単位の定額制料金、前記インターネット・プロトコル・エンドポイントが成功裏に前記インターネット・プロトコル呼追跡サービスを使用する回数、前記インターネット・プロトコル・エンドポイントが前記インターネット・プロトコル呼追跡サービスに要求する情報量、および前記インターネット・プロトコル・エンドポイントが前記インターネット・プロトコル呼追跡サービスに要求する情報種別の１つまたは複数に基づく装置。
【請求項９】
前記インターネット・プロトコル・エンドポイントとのインターネット・プロトコル呼を開始した通信装置の識別情報を求める要求をインターネット・プロトコル・エンドポイントから受信する工程と、
前記要求に応答して前記インターネット・プロトコル・エンドポイントに送信する前記通信装置の前記識別情報を収集する工程とを含む方法。
【請求項１０】
前記要求に応答して前記インターネット・プロトコル・エンドポイントに送信する前記通信装置の前記識別情報を収集する前記工程が、
前記識別情報内に含ませるよう前記インターネット・プロトコル・エンドポイントが指示した前記通信装置の１つまたは複数の種別の識別情報を前記要求内で識別する工程と、
前記データベースから前記通信装置の１つまたは複数の種別の識別情報を収集する工程と、
前記インターネット・プロトコル・エンドポイントが前記１つまたは複数の種別の識別情報へのアクセスを許可されていることと、前記通信装置が前記インターネット・プロトコル・エンドポイントの前記１つまたは複数の種別の識別情報へのアクセスを許可することとを検証する工程と、
前記通信装置の前記１つまたは複数の種別の識別情報を含む前記識別情報を前記インターネット・プロトコル・エンドポイントに送信する工程とを含む請求項９に記載の方法。
【発明の詳細な説明】
【技術分野】
【０００１】
本発明は一般に通信に関し、より詳細には、通信装置識別情報の収集に関する。
【背景技術】
【０００２】
音声通信ネットワークの一例では、第１のユーザは当該音声通信ネットワークの第２のユーザに電話呼を発呼できる。例えば、音声通信ネットワークは公衆交換電話網（「ＰＳＴＮ」）を含む。当該音声通信ネットワークは発呼者識別サービスを含む。発呼者識別サービスは電話呼の被呼者に発呼者の識別情報を提供する。例えば、第２のユーザは発呼者識別情報を用いて電話呼の発呼者（例えば第１のユーザ）の識別情報を受信する。識別情報は発呼者の名前および／または電話番号を含む。１つの欠点として、発呼者識別サービスは公衆交換電話網の電話呼しか追跡することができない。
【０００３】
インターネット・プロトコル（「ＩＰ」）の一例では、第１のユーザはインターネット・プロトコル・ネットワークの第２のユーザにインターネット・プロトコル呼を発呼できる。当該インターネット・プロトコル呼はインターネット・プロトコル・ネットワークのユーザ間で音声、データ、および／またはビデオ・コンテンツを伝送できる。ネットワーク管理者はインターネット・プロトコル・ネットワーク内の制御ノードからインターネット・プロトコル呼を追跡することができる。例えば、ネットワーク管理者はインターネット・プロトコル呼の発呼者の識別情報を収集することができる。１つの欠点として、被呼者はインターネット・プロトコル呼の追跡を開始して発呼者の識別情報を得ることができない。
【発明の開示】
【発明が解決しようとする課題】
【０００４】
したがって、インターネット・プロトコル・ネットワーク内のインターネット・プロトコル呼の被呼者に発呼者の識別情報を提供する必要がある。
【課題を解決するための手段】
【０００５】
本発明の一実施形態は装置を含む。装置は１つまたは複数の呼制御コンポーネントを含む。上記１つまたは複数のコンポーネントの１つまたは複数は通信装置が開始したインターネット・プロトコル呼をインターネット・プロトコル・エンドポイントに接続する。上記１つまたは複数のコンポーネントの１つまたは複数は通信装置の識別情報を収集し、識別情報をインターネット・プロトコル・エンドポイントに送信する。
【０００６】
本発明の別の実施形態は方法を含む。インターネット・プロトコル・エンドポイントからの当該インターネット・プロトコル・エンドポイントとのインターネット・プロトコル呼を開始した通信装置の識別情報を求める要求が受信される。要求に応答して、インターネット・プロトコル・エンドポイントに送信する通信装置の識別情報が収集される。
【０００７】
本発明のさらに別の実施形態は製品を含む。製品は１つまたは複数のコンピュータ可読信号搬送媒体を含む。製品は、インターネット・プロトコル・エンドポイントからの当該インターネット・プロトコル・エンドポイントとのインターネット・プロトコル呼を開始した通信装置の識別情報を求める要求を受信する当該１つまたは複数の媒体内の手段を含む。製品は、要求に応答してインターネット・プロトコル・エンドポイントに送信する通信装置の識別情報を収集する当該１つまたは複数の媒体内の手段を含む。
本発明の実施例の特徴は以下の説明と、請求の範囲と、添付図面から明らかになろう。
【発明を実施するための最良の形態】
【０００８】
図１を参照すると、一実施例では、装置１００はコンピュータ・ソフトウェアおよび／またはハードウェア・コンポーネントを含む。装置１００内でいくつかのそのようなコンポーネントを組み合わせ、または分離することができる。装置１００のコンポーネントの一実施例は、いくつかのプログラミング言語のいずれかで記述されるか実行される１組および／または一連のコンピュータ命令を使用し、かつ／または含むことを当業者なら理解するであろう。
【０００９】
一実施例では、装置１００は１つまたは複数の呼制御コンポーネント１０２および１０４と、１つまたは複数の通信装置１０５、１０７、１０９、および１１１、例えば、それぞれインターネット・プロトコル・エンドポイント１０６、１０８、および１１０と陸上通信線エンドポイント１１２と、１つまたは複数のインターネット・プロトコル・サービス・データベース１１４および１１６と、１つまたは複数のインターネット・プロトコル・ネットワーク１１８とを含む。公衆交換電話網（「ＰＳＴＮ」）１２０は陸上通信線エンドポイント１１２とインターネット・プロトコル・ネットワーク１１８とを通信接続する。第１のインターネット・プロトコル・ドメイン１２２は呼制御コンポーネント１０２と、インターネット・プロトコル・エンドポイント１０６および１０８と、インターネット・プロトコル・サービス・データベース１１４とを含む。第２のインターネット・プロトコル・ドメイン１２４は呼制御コンポーネント１０４と、インターネット・プロトコル・エンドポイント１１０と、インターネット・プロトコル・サービス・データベース１１６とを含む。
【００１０】
一実施例では、呼制御コンポーネント１０２および１０４の各々はプロセッサと記録可能データ記憶媒体とを含む。一実施例では、呼制御コンポーネント１０２および１０４はＩｎｔｅｒｎａｔｉｏｎａｌ  Ｐａｃｋｅｔ  Ｃｏｍｍｕｎｉｃａｔｉｏｎｓ  Ｃｏｎｓｏｒｔｉｕｍ（ＩＰＣＣ、ｈｔｔｐ：／／ｗｗｗ．ｓｏｆｔｓｗｉｔｃｈ．ｏｒｇ）が提唱するソフトスイッチを含む。ソフトスイッチは、インターネット・プロトコル呼の接続サービス、適用プロセス、ルーティング、制御の転送、および各種管理機能を制御する。呼制御コンポーネント１０２はインターネット・プロトコル・エンドポイント１０６および１０８用のインターネット・プロトコル・ネットワーク１１８へのインタフェースを含む。呼制御コンポーネント１０４はインターネット・プロトコル・エンドポイント１１０用のインターネット・プロトコル・ネットワーク１１８へのインタフェースを含む。一実施例では、呼制御コンポーネント１０２および１０４はＨ．３２３ゲート・キーパーおよびゲートウェイ（「Ｈ．３２３  ＧＫ／ＧＷ」）を含む。「Ｈ．３２３」は、国際通信連合（ＩＴＵ、ｈｔｔｐ：／／ｗｗｗ．ｉｔｕ．ｉｎｔ／ｈｏｍｅ）が公表した（例えばインターネット・プロトコル・ネットワーク１１８など）パケット網におけるリアル・タイムの音声およびＴＶ会議の標準を表す。
【００１１】
呼制御コンポーネント１０２および１０４はＨ．３２３通信プロトコル・スイート、例えば、Ｈ．２２５（呼制御）、Ｈ．２４５（制御メッセージ）、Ｇ．７１１（音声）、およびＨ．２６１（画像）プロトコル・メッセージによってインターネット・プロトコル・ネットワーク１０４と通信する。一実施例では、呼制御コンポーネント１０２および１０４は伝送制御プロトコル／インターネット・プロトコル（「ＴＣＰ／ＩＰ」）メッセージによってインターネット・プロトコル・サービス・データベース１１４および１１６と通信する。呼制御コンポーネント１０２および１０４はそれぞれ第１および第２のインターネット・プロトコル・ドメイン１２２および１２４内の制御媒体の流れと信号の流れとを制御する。例えば、呼制御コンポーネント１０２および１０４は音声、データ、および映像信号送受信とベアラ・トラヒックとを制御する。呼制御コンポーネント１０２および１０４はインターネット・プロトコル呼要求を処理し、インターネット・プロトコル呼を当該インターネット・プロトコル呼の終端エンドポイントにルーティングする。
【００１２】
一実施例では、呼制御コンポーネント１０２および１０４はインターネット・プロトコル呼追跡サービスをサポートする。例えば、インターネット・プロトコル・エンドポイント１０６、１０８、および１１０のユーザはインターネット・プロトコル呼追跡サービスに加入してインターネット・プロトコル呼の発呼者の識別情報にアクセスすることができる。一実施例では、インターネット・プロトコル呼追跡サービスの加入料金は月単位の定額制料金を採用する。別の実施例では、料金はユーザが成功裏にインターネット・プロトコル呼追跡サービスを使用する回数に基づく。また別の実施例では、料金はユーザがインターネット・プロトコル呼追跡サービスに要求する情報量に基づく。さらに別の実施例では、料金はユーザがインターネット・プロトコル呼追跡サービスに要求する情報種別に基づく。一実施例では、呼制御コンポーネント１０２および１０４はインターネット・プロトコル呼追跡サービスのアクティビティを記録する呼追跡ログを保管する。例えば、呼追跡ログはインターネット・プロトコル・エンドポイント１０６、１０８および１１０が実行した呼追跡数、さまざまな呼追跡レベルの呼追跡数、完了呼追跡数、および不完了呼追跡数を記録する。
【００１３】
インターネット・プロトコル呼追跡サービスのイニシエータは、インターネット・プロトコル・エンドポイント１０６、１０８、および１１０の任意の１人または複数のユーザ、あるいはインターネット・プロトコル・ネットワーク・オペレータを含む。例えば、イニシエータは、呼制御コンポーネント１０２および１０４のうち１つまたは複数に起動メッセージを送信する。イニシエータは、インターネット・プロトコル呼の受付前、インターネット・プロトコル呼の継続中の任意の時点、またはインターネット・プロトコル呼終了後にインターネット・プロトコル呼の発呼者の識別情報の収集をトリガする起動メッセージを送信することができる。例えば、イニシエータはインターネット・プロトコル呼の呼設定、呼び出し、または通話の各段階において起動メッセージを送信できる。
【００１４】
呼制御コンポーネント１０２および１０４はイニシエータのインターネット・プロトコル呼追跡サービス権限を検査する。インターネット・プロトコル呼追跡サービスが発呼者の識別情報へのイニシエータのアクセスを許可する場合、呼制御コンポーネント１０２および１０４の１つまたは複数は、イニシエータに送信するインターネット・プロトコル・サービス・データベース１１４および１１６の１つまたは複数からの識別情報を収集する。
【００１５】
インターネット・プロトコル呼追跡サービスはインターネット・プロトコル・エンドポイント１０６、１０８、および１１０に配布できる識別情報の量を制限するアクセス・レベルを設定できる。例示目的でアクセス・レベルの一実施形態を以下に記載する。一実施例におけるインターネット・プロトコル呼追跡サービスでは、インターネット・プロトコル・エンドポイント１０６、１０８、および１１０を５つのアクセス・レベルの１つに設定できる。例えば、アクセス・レベル１では発呼者番号へのアクセスのみが許可される。アクセス・レベル２では発呼者番号およびユーザ名へのアクセスが許可される。アクセス・レベル３では発呼者番号、ユーザ名、および呼種別へのアクセスが許可される。アクセス・レベル４では発呼者番号、ユーザ名、呼種別、およびインターネット・プロトコル・アドレスへのアクセスが許可される。アクセス・レベル５ではインターネット・プロトコル・サービス・データベース１１４および１１６に記憶された任意の識別情報へのアクセスが許可される。
【００１６】
通信装置１０５、１０７、１０９、および１１１（例えば、インターネット・プロトコル・エンドポイント１０６、１０８、および１１０と陸上通信線エンドポイント１１２）はインターネット・プロトコル呼追跡サービスが配布できる識別情報の量を制限する保護レベルを設定できる。例示目的で保護レベルの一実施形態を以下に記載する。一実施例におけるインターネット・プロトコル呼追跡サービスでは、インターネット・プロトコル・エンドポイント１０６、１０８、および１１０を４つの保護レベルの１つに設定できる。例えば、保護レベル１ではインターネット・プロトコル・サービス・データベース１１４および１１６に記憶された任意の識別情報の配布が許可される。保護レベル２ではインターネット・プロトコル・サービス・データベース１１４および１１６に記憶された情報のうちロケーションおよびメール・アドレスを除く任意の識別情報の配布が許可される。保護レベル３では発呼者番号およびユーザ名の配布が許可される。保護レベル４ではインターネット・プロトコル・エンドポイント１０６、１０８、および１１０が配布をオープンに指定した情報のみを配布できる。
【００１７】
一実施例では、インターネット・プロトコル呼追跡サービスはエンドポイント別である。例えば、インターネット・プロトコル・エンドポイント１０６がインターネット・プロトコル呼追跡サービスに加入しているものとする。任意のユーザはインターネット・プロトコル・エンドポイント１０６を用いてインターネット・プロトコル呼追跡サービスによって識別情報にアクセスできる。エンドポイント別のインターネット・プロトコル呼追跡サービスをパスワードで保護し、インターネット・プロトコル・エンドポイント１０６を用いて識別情報にアクセスするユーザを制限することができる。
【００１８】
別の実施例では、インターネット・プロトコル呼追跡サービスはユーザ別である。例えば、あるユーザがインターネット・プロトコル呼追跡サービスに加入しているものとする。当該ユーザはインターネット・プロトコル・エンドポイント１０６、１０８、および１１０のいずれを用いてインターネット・プロトコル呼追跡サービスによって識別情報にアクセスしてもよい。当該ユーザはインターネット・プロトコル・エンドポイント１０６、１０８、および１１０にユーザ名とパスワードを入力してインターネット・プロトコル呼追跡サービスのアカウントにアクセスし、識別情報収集の許可を得る。
【００１９】
呼制御コンポーネント１０２および１０４とインターネット・プロトコル・エンドポイント１０６、１０８、および１１０とはＨ．３２３メッセージ、例えば、ファシリティ・メッセージを介してインターネット・プロトコル呼追跡サービスを送受信する。一実施例では、インターネット・プロトコル・エンドポイント１０６はインターネット・プロトコル呼追跡サービスに対して識別情報を要求するファシリティ起動メッセージを呼制御コンポーネント１０２に送信する。別の実施例では、呼制御コンポーネント１０２はファシリティ起動メッセージへの応答として識別情報を含むファシリティ応答メッセージをインターネット・プロトコル・エンドポイント１０６に送信する。さらに別の実施例では、呼制御コンポーネント１０２は呼制御コンポーネント１０４の制御下にあるインターネット・プロトコル呼エンドポイントの識別情報を要求するファシリティ起動メッセージを呼制御コンポーネント１０４に送信する。例示目的で、ファシリティ・メッセージの一実施形態を以下に記載する。ファシリティ・メッセージは下表に示す複数の情報フィールド（例えば、ファシリティ・メッセージ・パラメータ）を含む。
【表１】
2004364311.tif 000003
【００２０】
一実施例では、通信装置１０５、１０７、１０９、および１１１の１つだけがインターネット・プロトコル・エンドポイントを含む（例えば、インターネット・プロトコル・エンドポイント１０６）。別の実施例では、図１に示すように、通信装置１０５、１０７、および１０９はインターネット・プロトコル・エンドポイントを含む（例えば、インターネット・プロトコル・エンドポイント１０６、１０８、および１１０）。一実施例では、エンドポイント１０６、１０８、および１１０の各々はプロセッサと記録可能データ記憶媒体とを含む。インターネット・プロトコル・エンドポイント１０６、１０８、および１１０はインターネット・プロトコル呼を開始または終了する。例えば、インターネット・プロトコル・エンドポイント１０６、１０８、および１１０はＨ．３２３エンドポイント・プロトコルをサポートする。一実施例では、インターネット・プロトコル・エンドポイント１０６、１０８、および１１０はインターネット・プロトコル電話ソフトウェアおよび／またはインターネット・プロトコル電話機を含む。
【００２１】
一実施例では、インターネット・プロトコル・エンドポイント１０６、１０８、および１１０は呼追跡ボタンを含む。例えば、インターネット・プロトコル・エンドポイント１０６のユーザが呼追跡ボタンを押下すると、インターネット・プロトコル・エンドポイント１０６がファシリティ起動メッセージのＣａｌｌ  Ｔｒａｃｅ  Ｕｓｅｒ  Ｉｎｆｏフィールドにインターネット・プロトコル・エンドポイント１０６の識別情報を挿入する。次いで、インターネット・プロトコル・エンドポイント１０６はインターネット・プロトコル呼追跡サービスを開始するファシリティ起動メッセージを呼制御コンポーネント１０２に送信する。一実施例では、インターネット・プロトコル・エンドポイント１０６、１０８、および１１０は呼追跡メニューを含む。一実施例では、呼追跡メニューはインターネット・プロトコル・エンドポイント１０６のユーザのための１つまたは複数のオプションを含む。例えば、呼追跡メニューによって、サービス加入／脱退およびサービス活動化／非活動化などのインターネット・プロトコル呼追跡サービス・アカウント管理が可能になる。インターネット・プロトコル・エンドポイント１０６、１０８、および１１０はインターネット・プロトコル加入者として呼制御コンポーネント１０２および１０４に登録する。例えば、インターネット・プロトコル・エンドポイント１０６、１０８、および１１０は呼制御コンポーネント１０２および１０４にインターネット・プロトコル・サービス情報を提供する。
【００２２】
一実施例では、インターネット・プロトコル・サービス情報はインターネット・プロトコル・エンドポイント１０６、１０８、および１１０の識別情報を含む。例えば、インターネット・プロトコル・エンドポイント１０６、１０８、および１１０の識別情報はインターネット・プロトコル・エンドポイント１０６、１０８、および１１０のインターネット・プロトコル電話番号、名前、会社名、電話機種別、Ｅメール・アドレス、ロケーション、インターネット・プロトコル・アドレス、およびユニフォーム・リソース・ロケータ（「ＵＲＬ」）の１つまたは複数を含む。呼制御コンポーネント１０２および１０４はインターネット・プロトコル・サービス・データベース１１４および１１６にインターネット・プロトコル・サービス情報を記憶する。
【００２３】
インターネット・プロトコル呼が開始されると、呼制御コンポーネント１０２および１０４は当該インターネット・プロトコル呼のインターネット・プロトコル・サービス情報にアクセスするためにインターネット・プロトコル・サービス・データベース１１４および１１６に照会する。一実施例では、インターネット・プロトコル・サービス・データベース１１４および１１６はインターネット・プロトコル・ネットワーク１１８、インターネット・プロトコル・エンドポイント１０６、１０８、および１１０と陸上通信線エンドポイント１１２のサービス情報を記憶する。例えば、インターネット・プロトコル・サービス・データベース１１４はインターネット・プロトコル・エンドポイント１０６および１０８の識別情報を記憶し、インターネット・プロトコル・サービス・データベース１１６はインターネット・プロトコル・エンドポイント１１０の識別情報を記憶する。呼制御コンポーネント１０２および１０４は、インターネット・プロトコル・サービス・データベース１１４および１１６から、インターネット・プロトコル呼に係属中のインターネット・プロトコル・エンドポイント１０６、１０８、および１１０の１つまたは複数のインターネット・プロトコル・サービス情報を要求することができる。インターネット・プロトコル・サービス・データベース１１４および１１６は、要求されたインターネット・プロトコル・サービス情報を応答メッセージに乗せて呼制御コンポーネント１０２および１０４に返送する。一実施例では、インターネット・プロトコル・サービス・データベース１１４および１１６はＪａｖａ（登録商標）ベースのデータベース・エンジンを含む。別の例では、インターネット・プロトコル・サービス・データベース１１４および１１６は、共通オブジェクト要求ブローカー・アーキテクチャ（「ＣＯＲＢＡ」）インタフェースを含む。
【００２４】
インターネット・プロトコル・ネットワーク１１８は第１のインターネット・プロトコル・ドメイン１２２、第２のンターネット・プロトコル・ドメイン１２４、および公衆交換電話網１２０を通信接続する。例えば、インターネット・プロトコル・ネットワーク１１８は、第１のインターネット・プロトコル・ドメイン１２２、第２のンターネット・プロトコル・ドメイン１２４、および公衆交換電話網１２０の１つまたは複数の間で１つまたは複数のインターネット・プロトコル呼および／または１つまたは複数のインターネット・プロトコル呼追跡サービス・メッセージ（例えば、ファシリティ・メッセージ）を搬送する。公衆交換電話網１２０はインターネット・プロトコル・ネットワーク１１８と陸上通信線エンドポイント１１２との間のインタフェースである。例えば、公衆交換電話網１２０は陸上通信線エンドポイント１１２とインターネット・プロトコル・ネットワーク１１８との間で１つまたは複数の呼を搬送する。
【００２５】
図２を参照すると、例示目的で装置１００の動作例が示されている。メッセージ・フロー２０１は通信装置１０７（例えば、インターネット・プロトコル・エンドポイント１０８）からインターネット・プロトコル・エンドポイント１０６へのインターネット・プロトコル呼の接続例を表す。メッセージ・フロー２０１はまたインターネット・プロトコル呼の受付前のインターネット・プロトコル・エンドポイント１０６によるインターネット・プロトコル・エンドポイント１０８の識別情報の収集例を表す。インターネット・プロトコル・エンドポイント１０６および１０８は両方とも第１のインターネット・プロトコル・ドメイン１２２内に位置する（図１）。一実施例では、インターネット・プロトコル・エンドポイント１０６のユーザは呼制御コンポーネント１０２のインターネット・プロトコル呼追跡サービスに加入している。インターネット・プロトコル・エンドポイント１０６のユーザはメッセージ・フロー２０１の開始前にインターネット・プロトコル呼追跡サービスを設定し起動している。
【００２６】
インターネット・プロトコル・エンドポイント１０６とのインターネット・プロトコル呼を開始するために、インターネット・プロトコル・エンドポイント１０８は呼制御コンポーネント１０２に呼設定メッセージ２０２を送信する。一実施例では、呼設定メッセージ２０２はＨ．２２５呼処理メッセージを含む。呼設定メッセージ２０２を受信すると、呼制御コンポーネント１０２は呼設定メッセージ２０２をインターネット・プロトコル・エンドポイント１０６に送信する。インターネット・プロトコル・エンドポイント１０６は呼設定メッセージ２０２に応答して呼制御コンポーネント１０２に認知メッセージ２０４を送信する。呼制御コンポーネント１０２はインターネット・プロトコル・エンドポイント１０８に認知メッセージ２０４を送信する。
【００２７】
一実施例では、インターネット・プロトコル・エンドポイント１０６のユーザはインターネット・プロトコル呼に応答し、接続するまでに発呼者（例えば、インターネット・プロトコル・エンドポイント１０８）の識別情報を確認したいと考える。例えば、インターネット・プロトコル・エンドポイント１０６のユーザはインターネット・プロトコル・エンドポイント１０６の呼追跡ボタンを押下して呼制御コンポーネント１０２に追跡開始メッセージ２０６を送信する。一実施例では、「ＦＡＣＩＬＩＴＹ  （ＣＡＬＬ  ＴＲＡＣＥ  ＩＮＶＯＫＥ）」が追跡開始メッセージ２０６にあたる。一実施例では、追跡開始メッセージ２０６はＣａｌｌ  Ｔｒａｃｅ  Ｔｙｐｅフィールドが「ｉｎｖｏｋｅ」、Ｓｕｂｓｃｒｉｐｔｉｏｎ  Ｔｙｐｅフィールドが「ｐｈｏｎｅ  ｂａｓｅｄ」のファシリティ・メッセージを含む。インターネット・プロトコル・エンドポイント１０６はファシリティ・メッセージ内のＣａｌｌ  Ｔｒａｃｅ  Ｕｓｅｒ  Ｉｎｆｏフィールドにインターネット・プロトコル・エンドポイント１０６の識別情報を指定する。
【００２８】
追跡開始メッセージ２０６を受信すると、呼制御コンポーネント１０２は追跡開始メッセージ２０６を解釈し、Ｃａｌｌ  Ｔｒａｃｅ  Ｔｙｐｅフィールドが「ｉｎｖｏｋｅ」に設定されていることを認識する。これにより、呼制御コンポーネント１０２はインターネット・プロトコル・サービス・データベース１１４に照会メッセージ２０８を送信する。一実施例では、「ＱＵＥＲＹ  （ＩＰ  ＥＮＤ  ＰＯＩＮＴ  Ａ１）」が照会メッセージ２０８にあたる。一実施例では、「ＩＰ  ＥＮＤ  ＰＯＩＮＴ  Ａ１」がインターネット・プロトコル・エンドポイント１０６の識別子にあたる。照会メッセージ２０８はインターネット・プロトコル・エンドポイント１０６のインターネット・プロトコル呼追跡サービス情報を要求する。一実施例では、インターネット・プロトコル呼追跡サービス情報はインターネット・プロトコル・エンドポイント１０６の優先レベル、識別情報、およびパスワードを含む。呼制御コンポーネント１０２はインターネット・プロトコル呼追跡サービス情報を用いてインターネット・プロトコル・エンドポイント１０６がインターネット・プロトコル呼追跡サービスを利用してインターネット・プロトコル・エンドポイント１０８の識別情報を入手する権限があるか否かを判定する。
【００２９】
インターネット・プロトコル・サービス・データベース１１４は、照会応答メッセージ２１０に乗せてインターネット・プロトコル・エンドポイント１０６のインターネット・プロトコル呼追跡サービス情報を呼制御コンポーネント１０２に送信する。一実施例では、「ＲＥＳＰＯＮＳＥ  （Ａ１  ＩＮＦＯ）」が照会応答メッセージ２１０にあたる。一実施例では、「Ａ１  ＩＮＦＯ」がインターネット・プロトコル・エンドポイント１０６のインターネット・プロトコル呼追跡サービス情報にあたる。
【００３０】
一実施例では、インターネット・プロトコル・エンドポイント１０６のインターネット・プロトコル呼追跡サービス情報はインターネット・プロトコル・エンドポイント１０６がインターネット・プロトコル呼追跡サービスを利用することを許可する。これにより、呼制御コンポーネント１０２はインターネット・プロトコル・サービス・データベース１１４に照会メッセージ２１２を送信する。一実施例では、「ＱＵＥＲＹ  （ＩＰ  ＥＮＤ  ＰＯＩＮＴ  Ａ２）」が照会メッセージ２１２にあたる。一実施例では、「ＩＰ  ＥＮＤ  ＰＯＩＮＴ  Ａ２」がインターネット・プロトコル・エンドポイント１０８の識別子にあたる。照会メッセージ２１２はインターネット・プロトコル・エンドポイント１０８の識別情報を要求する。
【００３１】
インターネット・プロトコル・サービス・データベース１１４は、照会応答メッセージ２１４に乗せてインターネット・プロトコル・エンドポイント１０８の識別情報を呼制御コンポーネント１０２に送信する。一実施例では、「ＲＥＳＰＯＮＳＥ  （Ａ２  ＩＮＦＯ）」が照会応答メッセージ２１４にあたる。一実施例では、「Ａ２  ＩＮＦＯ」がインターネット・プロトコル・エンドポイント１０８の識別情報にあたる。
【００３２】
一実施例では、呼制御コンポーネント１０２はインターネット・プロトコル・エンドポイント１０８のサービス情報および識別情報を検査してインターネット・プロトコル・エンドポイント１０６にどの種別の識別情報を送信できるか決定する。例えば、呼制御コンポーネント１０２はインターネット・プロトコル・エンドポイント１０８の呼追跡保護レベルを検査する。呼制御コンポーネント１０２は、インターネット・プロトコル・エンドポイント１０８が、呼制御コンポーネント１０２に対してインターネット・プロトコル・エンドポイント１０６に送信することを許可する識別情報の部分を決定する。呼制御コンポーネント１０２は追跡開始応答メッセージ２１６に乗せてインターネット・プロトコル・エンドポイント１０６にインターネット・プロトコル・エンドポイント１０８の識別情報の当該部分を送信する。一実施例では、「ＦＡＣＩＬＩＴＹ  （ＲＥＳＰＯＮＳＥ）」が追跡開始応答メッセージ２１６にあたる。
【００３３】
インターネット・プロトコル・エンドポイント１０６は追跡開始応答メッセージ２１６を解釈し、インターネット・プロトコル・エンドポイント１０８の識別情報を抽出する。一実施例では、インターネット・プロトコル・エンドポイント１０６はインターネット・プロトコル・エンドポイント１０６のユーザのためにインターネット・プロトコル・エンドポイント１０８の識別情報を表示する。一実施例では、インターネット・プロトコル・エンドポイント１０６のユーザはインターネット・プロトコル・エンドポイント１０８の識別情報を用いてインターネット・プロトコル呼を受け付けるか否かを決定する。例えば、インターネット・プロトコル・エンドポイント１０６のユーザはインターネット・プロトコル・エンドポイント１０６の接続ボタンを押下してインターネット・プロトコル・エンドポイント１０８とのインターネット・プロトコル呼を受け付け、呼制御コンポーネント１０２に接続メッセージ２１８を送信する。呼制御コンポーネント１０２はインターネット・プロトコル・エンドポイント１０８に接続メッセージ２１８を送信してインターネット・プロトコル・エンドポイント１０６をインターネット・プロトコル・エンドポイント１０８と通信接続する。
【００３４】
図３を参照すると、例示目的で装置１００の別の動作例が示されている。メッセージ・フロー２０１と同様、メッセージ・フロー３０１は通信装置１０７（例えば、インターネット・プロトコル・エンドポイント１０８）からインターネット・プロトコル・エンドポイント１０６へのインターネット・プロトコル呼の接続例と、インターネット・プロトコル・エンドポイント１０６によるインターネット・プロトコル・エンドポイント１０８の識別情報の収集例を表す。ただし、メッセージ・フロー３０１では、識別情報の収集はインターネット・プロトコル呼の受け付けおよび接続の後に実行される。
【００３５】
メッセージ・フロー２０１に記載するように、インターネット・プロトコル・エンドポイント１０６、インターネット・プロトコル・エンドポイント１０８、および呼制御コンポーネント１０２は呼設定メッセージ２０２および認知メッセージ２０４を送信しかつ／または受信する。認知メッセージ２０４の送信後、インターネット・プロトコル・エンドポイント１０６は呼制御コンポーネント１０２に接続メッセージ２１８を送信してインターネット・プロトコル・エンドポイント１０８とのインターネット・プロトコル呼を受け付け、係属する。一実施例では、インターネット・プロトコル呼に係属すると、インターネット・プロトコル・エンドポイント１０６のユーザは発呼者（例えば、インターネット・プロトコル・エンドポイント１０８）の識別情報を確認したいと考える。したがって、インターネット・プロトコル・エンドポイント１０６のユーザは呼追跡ボタンを押下して呼制御コンポーネント１０２に追跡開始メッセージ２０６を送信する。
【００３６】
一実施例では、呼制御コンポーネント１０２は追跡開始メッセージ２０６にインターネット・プロトコル・エンドポイント１０６の十分な識別情報がないと判定する。呼制御コンポーネント１０２はインターネット・プロトコル・エンドポイント１０６に情報要求メッセージ３０２を送信する。一実施例では、「ＦＡＣＩＬＩＴＹ  （ＲＥＱＵＩＲＥ  ＵＳＥＲ  ＩＮＦＯ）」が情報要求メッセージ３０２にあたる。情報要求メッセージ３０２は追加の識別情報が必要な旨をインターネット・プロトコル・エンドポイント１０６に示す。情報要求メッセージ３０２に応答して、インターネット・プロトコル・エンドポイント１０６は必要な追加識別情報を備えた追跡開始メッセージ２０６を送信する。メッセージ・フロー２０１に記載するように、追跡開始メッセージ２０６を受信すると、呼制御コンポーネント１０２はデータベースに照会し、インターネット・プロトコル・エンドポイント１０６に識別情報を返送する。
【００３７】
図４を参照すると、例示目的で装置１００のさらに別の動作例が示されている。メッセージ・フロー２０１と同様、メッセージ・フロー４０１は通信装置１０９（例えば、インターネット・プロトコル・エンドポイント１１０）からインターネット・プロトコル・エンドポイント１０６へのインターネット・プロトコル呼の接続例と、メッセージ・フロー２０１に示すインターネット・プロトコル・エンドポイント１０６によるインターネット・プロトコル・エンドポイント１１０の識別情報の収集例を表す。ただし、メッセージ・フロー４０１では、インターネット・プロトコル・エンドポイント１０６および１１０は異なるインターネット・プロトコル・ドメイン内に位置する。例えば、インターネット・プロトコル・エンドポイント１０６は第１のインターネット・プロトコル・ドメイン１２２内に位置し（図１）、インターネット・プロトコル・エンドポイント１１０は第２のインターネット・プロトコル・ドメイン１２４内に位置する（図１）。
【００３８】
インターネット・プロトコル・エンドポイント１０６とのインターネット・プロトコル呼を開始するために、インターネット・プロトコル・エンドポイント１１０は呼制御コンポーネント１０４に呼設定メッセージ４０２を送信する。一実施例では、呼設定メッセージ４０２はＨ．２２５呼処理メッセージを含む。呼設定メッセージ４０２を受信すると、第２のインターネット・プロトコル・ドメイン１２４（図１）の呼制御コンポーネント１０４は第１のインターネット・プロトコル・ドメイン１２２（図１）の呼制御コンポーネント１０２に呼設定メッセージ４０２を送信する。呼設定メッセージ４０２を受信すると、呼制御コンポーネント１０２はインターネット・プロトコル・エンドポイント１０６に呼設定メッセージ４０２を送信する。インターネット・プロトコル・エンドポイント１０６は呼設定メッセージ４０２に応答して呼制御コンポーネント１０２に認知メッセージ４０４を送信する。
【００３９】
メッセージ・フロー２０１に記載するように、インターネット・プロトコル呼に応答する前に発呼者（例えば、インターネット・プロトコル・エンドポイント１１０）の識別情報を入手するために、インターネット・プロトコル・エンドポイント１０６のユーザはインターネット・プロトコル・エンドポイント１０６の呼追跡ボタンを押下して呼制御コンポーネント１０２に追跡開始メッセージ２０６を送信する。メッセージ・フロー２０１に記載するように、追跡開始メッセージ２０６を受信すると、呼制御コンポーネント１０２はインターネット・プロトコル・サービス・データベース１１４に照会メッセージ２０８を送信し、照会応答メッセージ２１０を受信する。
【００４０】
一実施例では、インターネット・プロトコル・エンドポイント１０６の呼追跡サービス情報はインターネット・プロトコル・エンドポイント１０６がインターネット・プロトコル呼追跡サービスを利用することを許可する。一実施例では、これにより、呼制御コンポーネント１０２はインターネット・プロトコル・サービス・データベース１１４に発呼者（例えば、インターネット・プロトコル・エンドポイント１１０）の識別情報を要求する照会メッセージを送信する。インターネット・プロトコル・サービス・データベース１１４はインターネット・プロトコル・サービス・データベース１１４がインターネット・プロトコル・エンドポイント１１０の識別情報を記憶していない旨を呼制御コンポーネント１０２に示す。これにより、呼制御コンポーネント１０４がインターネット・プロトコル・エンドポイント１１０を管理している関係上、呼制御コンポーネント１０２は呼制御コンポーネント１０４に追跡開始メッセージ２０６を送信する。一実施例では、呼制御コンポーネント１０２から呼制御コンポーネント１０４への追跡開始メッセージ２０６は識別情報収集メッセージを含む。
【００４１】
追跡開始メッセージ２０６を受信すると、呼制御コンポーネント１０４は追跡開始メッセージ２０６を解釈し、Ｃａｌｌ  Ｔｒａｃｅ  Ｔｙｐｅフィールドが「ｉｎｖｏｋｅ」に設定されていることを認識する。これにより、呼制御コンポーネント１０４はインターネット・プロトコル・サービス・データベース１１６に照会メッセージ４０４を送信する。一実施例では、「ＱＵＥＲＹ  （Ｈ．３２３  ＧＫ／ＧＷ  Ａ）」が照会メッセージ４０４にあたる。一実施例では、「Ｈ．３２３  ＧＫ／ＧＷ  Ａ」が呼制御コンポーネント１０２の識別子にあたる。照会メッセージ４０４は呼制御コンポーネント１０２のインターネット・プロトコル呼追跡サービス情報を要求する。一実施例では、インターネット・プロトコル呼追跡サービス情報は呼制御コンポーネント１０２の優先レベル、識別情報、およびパスワードを含む。呼制御コンポーネント１０４はインターネット・プロトコル呼追跡サービス情報を用いて呼制御コンポーネント１０２がインターネット・プロトコル呼追跡サービスを利用してインターネット・プロトコル・エンドポイント１１０の識別情報を入手する権限があるか否かを判定する。
【００４２】
インターネット・プロトコル・サービス・データベース１１６は、照会応答メッセージ４０６に乗せて呼制御コンポーネント１０２のインターネット・プロトコル呼追跡サービス情報を呼制御コンポーネント１０４に送信する。一実施例では、「ＲＥＳＰＯＮＳＥ  （ＧＫ／ＧＷ  Ａ  ＩＮＦＯ）」が照会応答メッセージ４０６にあたる。一実施例では、「ＧＫ／ＧＷ  Ａ  ＩＮＦＯ」が呼制御コンポーネント１０２のインターネット・プロトコル呼追跡サービス情報にあたる。
【００４３】
一実施例では、呼制御コンポーネント１０２のインターネット・プロトコル呼追跡サービス情報は呼制御コンポーネント１０２がインターネット・プロトコル呼追跡サービスを利用することを許可する。一実施例では、これにより、呼制御コンポーネント１０４はインターネット・プロトコル・サービス・データベース１１６に発呼者（例えば、インターネット・プロトコル・エンドポイント１１０）の識別情報を要求する照会メッセージ４０８を送信する。一実施形態では、「ＱＵＥＲＹ  （ＩＰ  ＥＮＤ  ＰＯＩＮＴ  Ｂ）」が照会メッセージ４０８にあたる。一実施例では、「ＩＰ  ＥＮＤ  ＰＯＩＮＴ  Ｂ」がインターネット・プロトコル・エンドポイント１１０の識別子にあたる。
【００４４】
インターネット・プロトコル・サービス・データベース１１６は、照会応答メッセージ４１０に乗せてインターネット・プロトコル・エンドポイント１１０の識別情報を呼制御コンポーネント１０４に送信する。一実施例では、「ＲＥＳＰＯＮＳＥ  （Ｂ  ＩＮＦＯ）」が照会応答メッセージ４１０にあたる。一実施例では、「Ｂ  ＩＮＦＯ」がインターネット・プロトコル・エンドポイント１１０の識別情報にあたる。
【００４５】
呼制御コンポーネント１０４は、インターネット・プロトコル・エンドポイント１１０が、呼制御コンポーネント１０４に対して呼制御コンポーネント１０２に送信することを許可する識別情報の部分を決定する。呼制御コンポーネント１０４は追跡開始応答メッセージ４１２に乗せて呼制御コンポーネント１０２にインターネット・プロトコル・エンドポイント１１０の識別情報の当該部分を送信する。一実施例では、「ＦＡＣＩＬＩＴＹ  （ＣＡＬＬ  ＴＲＡＣＥ）  ＲＥＳＰＯＮＳＥ」が追跡開始応答メッセージ４１２にあたる。一実施形態では、呼制御コンポーネント１０２はインターネット・プロトコル・エンドポイント１０６に追跡開始応答メッセージ４１２を送信する。別の実施形態では、呼制御コンポーネント１０２は追跡開始応答メッセージ４１２を解釈してインターネット・プロトコル・エンドポイント１０６に追跡開始応答メッセージ４１２の識別情報を送信する。
【００４６】
図５を参照すると、例示目的で装置１００のさらに別の動作例が示されている。メッセージ・フロー２０１に記載されるように、メッセージ・フロー５０１は通信装置１０７（例えば、インターネット・プロトコル・エンドポイント１０８）からインターネット・プロトコル・エンドポイント１０６へのインターネット・プロトコル呼の接続例を表す。メッセージ・フロー５０１はまたインターネット・プロトコル・エンドポイント１０６がインターネット・プロトコル・エンドポイント１０８の識別情報を入手するための収集試行の失敗を示す。
【００４７】
メッセージ・フロー２０１および３０１に記載するように、インターネット・プロトコル・エンドポイント１０６、インターネット・プロトコル・エンドポイント１０８、および呼制御コンポーネント１０２は呼設定メッセージ２０２、認知メッセージ２０４、および接続メッセージ２１８を送信しかつ／または受信する。インターネット・プロトコル・エンドポイント１０６は呼制御コンポーネント１０２に追跡開始メッセージ２０６を送信し、インターネット・プロトコル・エンドポイント１０８の識別情報を入手する。メッセージ・フロー２０１に記載するように、呼制御コンポーネント１０２はインターネット・プロトコル・サービス・データベース１１４に照会メッセージ２０８を送信して、識別情報にアクセスする。照会メッセージ２０８はインターネット・プロトコル・エンドポイント１０６の表示を含む。
【００４８】
照会メッセージ２０８はインターネット・プロトコル・サービス・データベース１１４に対してインターネット・プロトコル・エンドポイント１０６のインターネット・プロトコル呼追跡サービス情報を要求する。呼制御コンポーネント１０２はインターネット・プロトコル呼追跡サービス情報を用いてインターネット・プロトコル・エンドポイント１０６がインターネット・プロトコル呼追跡サービスを利用してインターネット・プロトコル・エンドポイント１０８の識別情報を入手する権限があるか否かを判定する。
【００４９】
インターネット・プロトコル・サービス・データベース１１４は、照会応答メッセージ５０２に乗せてインターネット・プロトコル・エンドポイント１０６のインターネット・プロトコル呼追跡サービス情報を呼制御コンポーネント１０２に送信する。一実施例では、「ＲＥＳＰＯＮＳＥ  （Ａ１  ＩＮＦＯ）」が照会応答メッセージ５０２にあたる。一実施例では、「Ａ１  ＩＮＦＯ」がインターネット・プロトコル・エンドポイント１０６のインターネット・プロトコル呼追跡サービス情報にあたる。一実施例では、インターネット・プロトコル呼追跡サービス情報はインターネット・プロトコル・エンドポイント１０６がインターネット・プロトコル呼追跡サービスにアクセスできない旨を呼制御コンポーネント１０２に示す。これにより、呼制御コンポーネント１０２はインターネット・プロトコル・エンドポイント１０６に追跡開始応答メッセージ５０４を送信する。一実施形態では、「ＦＡＣＩＬＩＴＹ  （ＥＲＲＯＲ：ＮＯ  ＰＥＲＭＩＳＳＩＯＮ）」が追跡開始応答メッセージ５０４にあたる。
【００５０】
インターネット・プロトコル・エンドポイント１０６はインターネット・プロトコル・エンドポイント１０６のユーザに対してエラー・メッセージを表示し、インターネット・プロトコル・エンドポイント１０８へのアクセスが拒否された旨を伝える。その他、エラー・メッセージが表示される例として、インターネット・プロトコル・サービス・データベース１１４および１１６内のインターネット・プロトコル・エンドポイント１０６、１０８、および１１０のインターネット・プロトコル呼追跡サービス情報の不足、インターネット・プロトコル・エンドポイント１０６、１０８、および１１０の１つまたは複数が登録済みインターネット・プロトコル・ユーザでない場合、または呼制御コンポーネント１０２および１０４の１つまたは複数が障害である場合がある。
【００５１】
一実施形態では、装置１００は１つまたは複数のコンピュータ可読信号搬送媒体を使用する。装置１００のコンピュータ可読信号搬送媒体の一実施例は呼制御コンポーネント１０２および１０４とインターネット・プロトコル・エンドポイント１０６、１０８、および１１０の１つまたは複数の記録可能データ記憶媒体の１つまたは複数の例を含む。例えば、記録可能データ記憶媒体は磁気、電気、光、バイオロジカル、およびアトミック・データ記憶媒体の１つまたは複数を含む。別の実施例では、装置１００のコンピュータ可読信号搬送媒体は装置１００を含むか装置１００に接続されたネットワーク、例えば、電話網、ローカル・エリア・ネットワーク（「ＬＡＮ」）、インターネット、および無線ネットワークの１つまたは複数上で送信される被変調搬送波を含む。
【００５２】
本明細書に記載する動作工程は例示的なものである。本発明の精神から逸脱することなく、これらの工程をさまざまに変更することができる。例えば、上記工程を異なる順序で実行してもよく、または工程を追加、削除、もしくは変更してもよい。
【００５３】
以上、本明細書において本発明の例示的な実施形態について図示および説明してきたが、本発明の精神から逸脱することなく、本発明に対してさまざまな変更、追加、代替等が可能であり、請求の範囲に記載する本発明の範囲に入ることを、当業者なら理解するであろう。
【図面の簡単な説明】
【００５４】
【図１】１つまたは複数の呼制御コンポーネントと、１つまたは複数の通信装置と、１つまたは複数のインターネット・プロトコル・サービス・データベースと、１つまたは複数のインターネット・プロトコル・ネットワークとを含む装置の例示的な実施形態を示す図である。
【図２】図１の装置の１つまたは複数の通信装置の第２のインターネット・プロトコル・エンドポイントによる第１のインターネット・プロトコル・エンドポイントの識別情報の収集の例示的なメッセージ・フロー図である。収集は第１および第２のインターネット・プロトコル・エンドポイント間のインターネット・プロトコル呼の受け付け前に実行される。第１および第２のインターネット・プロトコル・エンドポイントは同じインターネット・プロトコル・ドメイン内に位置する。
【図３】図１の装置の１つまたは複数の通信装置の第２のインターネット・プロトコル・エンドポイントによる第１のインターネット・プロトコル・エンドポイントの識別情報の収集の別の例示的なメッセージ・フロー図である。収集は第１および第２のインターネット・プロトコル・エンドポイント間のインターネット・プロトコル呼の受け付けおよび接続後に実行される。第１および第２のインターネット・プロトコル・エンドポイントは同じインターネット・プロトコル・ドメイン内に位置する。
【図４】図１の装置の１つまたは複数の通信装置の第２のインターネット・プロトコル・エンドポイントによる第１のインターネット・プロトコル・エンドポイントの識別情報の収集のさらに別の例示的なメッセージ・フロー図である。収集は第１および第２のインターネット・プロトコル・エンドポイント間のインターネット・プロトコル呼の受け付け前に実行される。第１および第２のインターネット・プロトコル・エンドポイントは異なるインターネット・プロトコル・ドメイン内に位置する。
【図５】図１の装置の１つまたは複数の通信装置の第２のインターネット・プロトコル・エンドポイントによる第１のインターネット・プロトコル・エンドポイントの識別情報の収集に失敗した場合の例示的なメッセージ・フロー図である。
【図１】
2004364311.tif 000004
【図２】
2004364311.tif 000005
【図３】
2004364311.tif 000006
【図４】
2004364311.tif 000007
【図５】
2004364311.tif 000008